(57)【特許請求の範囲】
【請求項１】
一面に粘着剤が塗布された伸縮性を有するテープ部材であって、
前記テープ部材は、部分的に伸張させながら足趾の適用部位に貼付されることで、伸張部位が元に戻ろうとする作用によって貼付部位に引張作用を与え、
第一趾が内方に向くように第一趾の周囲に貼付され、一端部が足の内側における中足骨のある部位に貼付され、伸張させながら第一趾の基節骨の周囲に巻き付けるように貼付される三本の帯部を有する第一のテープ部材と、
先端が左右二股に分かれることで形成される第一帯部及び第二帯部を有し、第二趾が前方に伸張するように、第二趾に貼付される第二のテープ部材と、
先端が左右二股に分かれることで形成される第一帯部及び第二帯部を有し、第三趾が前方に伸張するように、第三趾に貼付される第三のテープ部材と、
先端が左右二股に分かれることで形成される第一帯部及び第二帯部を有し、第四趾が前方に伸張するように、第四趾に貼付される第四のテープ部材と、
足の内側における中足骨のある部位に貼付される、第五趾が外方に向くように第五趾の周囲に貼付される第五のテープ部材と、
を有し、
前記第五のテープ部材は、足の外側における中足骨のある部位に前記第五のテープ部材の一端部が貼付され、前記第五のテープ部材を伸張させながら第五趾の基節骨の周囲に巻き付けるように貼付され、前記第五のテープ部材の他端部を足の外側における中足骨のある部位に貼付される、
テープ部材。
【請求項２】
基節骨の周囲に加え、近位指節間関節の周囲に貼付される、
請求項１に記載のテープ部材。
【発明の詳細な説明】
【技術分野】
【０００１】
本発明は身体機能の改善を図る方法に関し、特に、足趾のゆがみを補整することで、外反母趾等の足回りの疾患を改善するとともに、ひいては体全体のゆがみを補整するための方法として有用なものである。
【背景技術】
【０００２】
人間が日常生活を行うにあたり、足は地面に対して体全体の体重を支えるための重要な部位である。足が地面に接地するにあたり、（１）足趾の指先（２）足趾の付け根（３）踵の三点がしっかりと接地していることで、バランスよく体重を支え、歩行等の運動をスムーズに行うことができる。
【０００３】
仮に、上記の三点のいずれかが地面に接地されず、三点に係る体重のバランスが崩れ、その状態が長期間にわたって継続すると、足趾や足の疾患につながるだけでなく、膝、股関節や、ひいては脊椎に歪みが生じるなど、体全体にわたって悪影響を及ぼすことになり、好ましくない。
【０００４】
ところで、現代社会においては、足先を美しくスマートに見せ、脚が長く見えるようにするために、つま先部分が狭まった形状の靴を着用することが増えている。このような靴を長期間にわたって着用すると、母趾が体の軸に対して外方へ反った形に変形する外反母趾をはじめとして、足趾の先端部分の形状が変形する疾患を引き起こす原因となることがある。
【０００５】
外反母趾のように足趾の形状が変形する疾患として、足趾の関節が曲がったまま動かなくなってしまうものがある。特に、足趾における中節骨と基節骨とを接続する関節である近位指節間関節（ＰＩＰ）が上方に持ちあがるように山状に曲がり、かつ、基節骨と中足骨とを接続する中足指節関節（ＭＴＰ）が谷状に曲がった状態で硬直してしまうと、足趾（特に第二趾〜第四趾）が「く」の字状に曲がり指先が地面から浮いた状態になってしまう。この状態では、上述した（１）〜（３）の三点のバランスが崩れ、立位や歩行に悪影響を及ぼす。
【０００６】
このようにバランスが崩れた状態が長期間継続すると、脚や骨盤等の下半身に歪みを生じるだけでなく、脊椎のゆがみを引き起こすことにもつながるため、日常生活に甚大な影響を及ぼす可能性がある。そのような事態に陥ることを防止するためには、変形してしまった足趾の形状を本来の状態になるよう補整して、その状態を維持することにより、正常な状態に戻す必要がある。
【０００７】
外反母趾をはじめとして、足趾の形状を補整して本来の状態に維持するための装置として、特許文献１に記載されている装置が提案されている（特許文献１）。
【先行技術文献】
【特許文献】
【０００８】
【特許文献１】特開２０２０−２８３７０号公報
【発明の概要】
【発明が解決しようとする課題】
【０００９】
特許文献１における装置では、板ばねを複数貼り付けた筒状部材に足趾を通すことで、母指及び小指の状態を正常な状態に維持することが行われる。
【００１０】
しかしながら、特許文献１に記載された装置のように、金属製の部材を備えた装置は、装置自体が固く重量感があり、装着した状態で靴を履いて外出することは難しく、長時間にわたって着用を継続することができない。そのため、効果を発揮するためには、短時間の着用を繰り返し行う必要があるため、結果的に相当期間の着用が必要となる。
【００１１】
本発明は、このような要望に鑑みてなされたものであり、複雑な機構を有する装置を使用することなく、手軽に入手することができる材料を使用して、場所を問わず長時間にわたって効果を発揮することが可能な、身体機能の改善を図る方法を提供することを目的とする。
【課題を解決するための手段】
【００１２】
本発明では、以下のような解決手段を提供する。
【００１３】
第１の特徴に係る発明における身体機能の改善を図る方法は、一面に粘着剤が塗布された伸縮性を有するテープ部材を用い、テープ部材を部分的に伸張させながら足趾の適用部位に貼付し、伸張部位が元に戻ろうとする作用によって貼付部位に引張作用を与えることで身体機能の改善を図る方法であって、足裏における一の足趾の付け根部分にテープ部材の一端部を貼付するステップ、テープ部材を伸張させながら一の足趾の基節骨の甲側に貼付するステップ、テープ部材の他端部を足裏における一の足趾の付け根部分に貼付するステップ、を含む。
【００１４】
第１の特徴に係る発明によれば、足裏における足趾の付け根部分にテープ部材の一端部を貼付することで、一端部を起点として引っ張る力を印加することができる。そして、テープ部材を伸張させながら足趾の基節骨の甲側に貼付し、テープ部材の他端部を足裏における足趾の付け根部分に貼付することで、テープ部材が貼付された基節骨が足裏側に引っ張られるため、上向きになっていた基節骨を下向きに補整する力が印加される。したがって、谷状に屈曲していた中足指節関節（ＭＴＰ）を正常な状態に戻すことが可能な方法を提供することができる。
【００１５】
第２の特徴に係る発明は、第１の特徴に係る発明であって、テープ部材は基端部と、先端が左右二股に分かれることで形成される第一帯部及び第二帯部とを有し、足裏における一の足趾の付け根部分に基端部を貼付するステップ、第一帯部及び第二帯部の内、右側に形成された第一帯部を伸張させながら一の足趾の左側を通して基節骨の甲側に貼付するステップ、一の足趾の右側を通して足裏における一の足趾の付け根部分に第一帯部の端部を貼付するステップ、第一帯部及び第二帯部の内、左側に形成された第二帯部を伸張させながら一の足趾の右側を通して基節骨の甲側に貼付するステップ、一の足趾の左側を通して足裏における一の足趾の付け根部分に第二帯部の端部を貼付するステップ、を有する。
【００１６】
第２の特徴に係る発明によれば、テープ部材に左右に分かれる第一帯部及び第二帯部を形成し、第一帯部及び第二帯部がクロスするように足趾の周囲に巻き付けるよう貼付されるため、テープ部材を足趾の周囲に一周するだけでも十分な伸張の効果を得ることができ、足趾の周囲に何周にもわたってテープ部材を巻き付ける必要がない。そのため、テープ部材を貼付した状態でソックスや靴を着用することができ、そのままの状態で歩行することも可能である。その結果、長期間にわたってテープ部材を貼付した状態を保持することができ、より補整の効果を高めることができる。
【００１７】
第３の特徴に係る発明は、第１又は第２の特徴に係る発明であって、第二趾、第三趾及び第四趾に第１又は第２の特徴に係る発明を適用する。
【００１８】
第３の特徴に係る発明によれば、身体機能の改善を図る方法を第二趾、第三趾及び第四趾それぞれに適用することで、それぞれの足趾を伸長した状態に保持することができる。この状態を継続し、例えば歩行等の運動を行うことにより、徐々に足趾の形状が本来の状態に戻るよう回復する。
【００１９】
第４の特徴に係る発明は、一面に粘着剤が塗布された伸縮性を有する第一から第五のテープ部材を用い、テープ部材を部分的に伸張させながら足趾の適用部位に貼付し、伸張部位が元に戻ろうとする作用によって貼付部位に引張作用を与えることで身体機能の改善を図る方法であって、第一趾が内方に向くように第一趾の周囲に第一のテープ部材を貼付するステップであって、足の内側における中足骨のある部位に第一のテープ部材の一端部を貼付するステップ、第一のテープ部材を伸張させながら第一趾の基節骨の周囲に巻き付けるように貼付するステップ、第一のテープ部材の他端部を足の内側における中足骨のある部位に貼付するステップ、第五趾が外方に向くように第五趾の周囲に第五のテープ部材を貼付するステップであって、足の外側における中足骨のある部位に第五のテープ部材の一端部を貼付するステップ、第五のテープ部材を伸張させながら第五趾の基節骨の周囲に巻き付けるように貼付するステップ、第五のテープ部材の他端部を足の外側における中足骨のある部位に貼付するステップ、第二趾、第三趾及び第四趾が前方に伸張するように、第１又は第２の特徴に係る発明を用いて第二趾、第三趾及び第四趾の周囲にそれぞれ第二、第三及び第四のテープ部材を貼付するステップ、を含む。
【００２０】
第４の特徴に係る発明によれば、足の側方に一端部を貼付し、テープ部材を足趾に巻き付けるように貼付することで、外反した第一趾及び内反した第五趾を開いた形状になるよう、補整することができる。そして、第一趾から第五趾のそれぞれに対してテープ部材を適用することで、変形してしまった形状を正常なバランスの良い状態に保持することができる。
【００２１】
第５の特徴に係る発明は、第４の特徴に係る発明であって、第二、第三及び第四のテープ部材を貼付するステップは、第一のテープ部材を貼付するステップ及び第五のテープ部材を貼付するステップの後に行われる。
【００２２】
第５の特徴に係る発明によれば、最初に一番大きな第一趾の形状を正常な状態に保持することで、他の指が第一趾の影響を受けることなく、テープ部材の適用を実施することが可能となる。また、次に第五趾の形状を保持することで、足全体のバランスをとることができる。そして、足全体のバランスを整えた上で、第二趾から第四趾にテープ部材を適用することで、バランスを崩すことなく各足趾の形状を正常な状態に保持することができる。そのため、身体機能の改善の効果をより一層高めることができる。
【００２３】
第６の特徴に係る発明は、第１ないし第５の特徴に係る発明であって、テープ部材は、基節骨の周囲に加え、近位指節間関節の周囲に貼付される。
【００２４】
第６の特徴に係る発明によれば、テープ部材を基節骨の周囲に加え、近位指節間関節の周囲にも貼付することにより、谷状に屈曲していた中足指節関節（ＭＴＰ）を補整する効果に加え、山状に屈曲していた近位指節間関節の形状を正常な状態に戻すことができるため、補整の効果をより一層高めることができる。
【発明の効果】
【００２５】
本発明によれば、複雑な機構を有する装置を使用することなく、手軽に入手することができる材料を使用して、場所を問わず長時間にわたって効果を発揮することが可能な、身体機能の改善を図る方法を提供できる。
【図面の簡単な説明】
【００２６】
【図１】図１は、本実施形態に係るテープ部材の模式図を示す。
【図２】図２Ａ〜図２Ｇは、本実施形態に係るテープ部材を足趾（第三趾）に巻き付ける手順を示す模式図である。
【図３】図３は、本実施形態に係るテープ部材を第一趾に巻き付ける際の最初のステップを示す模式図である。
【図４】図４は、本実施形態に係るテープ部材を第五趾に巻き付ける際の最初のステップを示す模式図である。
【図５】図５は、別の実施形態に係るテープ部材の模式図を示す。
【発明を実施するための形態】
【００２７】
以下、本発明を実施するための形態について図を参照しながら説明する。なお、これはあくまでも一例であって、本発明の技術的範囲はこれに限られるものではない。また、本発明において「右側」及び「左側」とは、施術者から見た方向を指すものであり、換言すれば、後述する粘着剤が塗布された側とは逆側から見たときの向きを示す。
【００２８】
［テープ部材１０の構成］
図１は、本実施形態に係るテープ部材１０の構成を示している。
【００２９】
テープ部材１０は、一面に粘着剤が塗布された伸縮性を有する部材であり、一般に、手足に施すテーピング用の部材が使用される。使用前のテープ部材１０には、粘着剤が塗布された面に剥離紙が貼付されており、剥離紙を剥がすことによって粘着剤の粘着力で人体の肌に貼付することができる。
【００３０】
本実施形態におけるテープ部材１０は、基端部１１と、先端が左右二股に分かれることで形成される第一帯部１２ａ及び第二帯部１２ｂからなる帯部１２とを有する。なお、第一帯部１２ａ及び第二帯部１２ｂは、テープ部材１０にハサミ等で切り込みを入れることで形成することが可能である。
【００３１】
後述するように、第一帯部１２ａ及び第二帯部１２ｂは足趾の周囲に巻き付けるように貼付するものであるため、足趾の長さよりも第一帯部１２ａ及び第二帯部１２ｂの幅が大きくないことが望ましい。具体的には第一帯部１２ａ及び第二帯部１２ｂの幅は０．５〜１．５ｃｍ程度に設定される。また、テープ部材１０の長さは、短すぎると足趾に巻き付けることが困難で補整力を発揮することができず、長すぎると足趾の周囲に何重にも巻き付ける必要が生じ他の足趾と干渉する恐れがある。このような事情を考慮して、テープ部材１０の長さは１５〜２０ｃｍ程度に設定される。
【００３２】
なお、本発明の目的が達成できるものであれば、左右二股に分かれた帯部１２を有していなくても構わない。
【００３３】
［テープ部材１０を用いた身体機能の改善を図る方法］
次に、図２Ａ〜図２Ｇを用いて、テープ部材１０を用いた身体機能の改善を図る方法について説明する。図２Ａ〜図２Ｇは、一例として第三趾にテープ部材１０を貼付する場合の手順を示す模式図である。
【００３４】
まず、上記で説明したような、一面に粘着剤が塗布された伸縮性を有するテープ部材１０を用意し、その基端部１１を足裏におけるそれぞれの足趾（図２Ａ〜図２Ｇにおいては第三趾）の付け根部分、つまり、中足指節関節（ＭＴＰ）の近傍に貼付する（図２Ａ）。
【００３５】
次に、二股に分かれることで形成された第一帯部１２ａ及び第二帯部１２ｂの内、右側に形成された第一帯部１２ａを、伸張させながら基節骨の周囲に足趾の左側から足の甲側に通す（図２Ｂ）。そして、基節骨の周囲において足の甲側から足の裏側に向けて巻き付けるように（すなわち時計回りに）貼付して足趾の右側を通し（図２Ｃ）、足裏における足趾（図２Ａ〜図２Ｇにおいては第三趾）の付け根部分、つまり、中足指節関節（ＭＴＰ）の近傍に第一帯部１２ａの先端部を貼付する（図２Ｄ）。ここで、図２Ｄに示す手順において、図２Ａに示した手順で基端部１１を貼付した位置の近傍に第一帯部１２ａの先端部を貼付するようにしてもよい。また、図２Ｃに示す手順において、基節骨だけでなく、近位指節間関節の周囲に貼付することが望ましい。また、第一帯部１２ａが長いようであれば、足趾の周囲を何周か巻回して長さを調整するようにしてよい。
【００３６】
さらに、第一帯部１２ａ及び第二帯部１２ｂの内、左側に形成された第二帯部１２ｂを、伸張させながら基節骨の周囲に足趾の右側から足の甲側に通す（図２Ｅ）。そして、基節骨の周囲において足の甲側から足の裏側に向けて巻き付けるように（すなわち反時計回りに）貼付して足趾の左側を通し（図２Ｆ）、足裏における足趾（図２Ａ〜図２Ｇにおいては第三趾）の付け根部分、つまり、中足指節関節（ＭＴＰ）の近傍に第二帯部１２ｂの先端部を貼付する（図２Ｇ）。ここで、図２Ｇに示す手順において、図２Ａに示した手順で基端部１１を貼付した位置の近傍に第二帯部１２ｂの先端部を貼付するようにしてもよい。また、図２Ｆに示す手順において、基節骨だけでなく、近位指節間関節の周囲に貼付することが望ましい。また、第二帯部１２ｂが長いようであれば、足趾の周囲を何周か巻回して長さを調整するようにしてよい。
【００３７】
このように、第一帯部１２ａ及び第二帯部１２ｂの内、右側に形成された第一帯部１２ａを足趾の左側から時計回りに巻き付けるように貼付し、左側に形成された第二帯部１２ｂを足趾の右側から反時計回りに巻き付けるように貼付することで、テープ部材１０の一部がクロスする部位を足趾の付け根付近に形成させる。
【００３８】
このようにして、足趾の周囲へのテープ部材１０の適用を完了する。
【００３９】
このように、足裏における足趾の付け根部分にテープ部材１０の一端部、つまり基端部１１を貼付することで、基端部１１を起点として引っ張る力を印加することができる。そして、帯部１２を伸張させながら足趾の基節骨の甲側に貼付した後、テープ部材１０の他端部を足裏における足趾の付け根部分に貼付することで、帯部１２が貼付された基節骨が基端部１１側、つまり足裏側に引っ張られるため、上向きになっていた基節骨を下向きに補整する力が印加される。したがって、谷状に屈曲していた中足指節関節（ＭＴＰ）が正常な状態に戻ろうとする。
【００４０】
また、テープ部材１０の帯部を基節骨だけでなく、近位指節間関節の周囲に貼付することで、近位指節間関節の山状に屈曲した形状を正常な状態に戻すことができる。
【００４１】
このようなメカニズムによって、近位指節間関節（ＰＩＰ）の山状の屈曲部位及び中足指節関節（ＭＴＰ）の谷状の屈曲部位に対し、伸縮性を有するテープ部材１０の伸張部位が元に戻ろうとする作用が働き、近位指節間関節（ＰＩＰ）の山状の屈曲及び中足指節関節（ＭＴＰ）の谷状の屈曲を伸ばす方向に補整し、足趾を前方に伸張させることができ、その結果、足趾の指先が地面に接地した状態を保持することができる。
【００４２】
また、特に、テープ部材１０に左右に分かれる第一帯部１２ａ及び第二帯部１２ｂを形成し、第一帯部１２ａ及び第二帯部１２ｂがクロスするように足趾の周囲に巻き付けるよう貼付するため、テープ部材１０を足趾の周囲に一周するだけでも十分な伸張の効果を得ることができ、足趾の周囲に何周にもわたってテープ部材１０を巻き付ける必要がない。そのため、テープ部材１０を貼付した状態でソックスや靴を着用することができ、そのままの状態で歩行することも可能である。その結果、長期間にわたってテープ部材１０を貼付した状態を保持することができ、より補整の効果を高めることができる。
【００４３】
＜変形例１＞
本実施形態における身体機能の改善を図る方法は、一本の足趾のみに適用することも可能であるが、他の足趾にも併せて適用することにより、足全体のバランスを改善することができるため、機能改善の効果を高めることができる。特に、図２に示したような、足趾を前方に伸張するためのテープ部材１０の貼付を、歩行の際に特に重要な役割を担う第二趾、第三趾及び第四趾のそれぞれに適用することで、その状態で歩行することによって足趾の機能を改善することができる。
【００４４】
つまり、人体が歩行を行うに際しては、第二趾、第三趾及び第四趾の指先がしっかりと地面に接地することが必要であるところ、近位指節間関節（ＰＩＰ）が上方に持ちあがるように山状に曲がり、かつ、中足指節関節（ＭＴＰ）が谷状に曲がった状態で硬直してしまうと、第二趾〜第四趾が「く」の字状に曲がり指先が地面から浮いた状態になってしまう。
【００４５】
そこで、三本のテープ部材１０を用意し、本発明による身体機能の改善を図る方法を第二趾、第三趾及び第四趾それぞれに適用することで、それぞれの足趾における近位指節間関節（ＰＩＰ）及び中足指節関節（ＭＴＰ）を伸長した状態に保持し、足趾が前方に伸張するよう補整することができる。この状態を継続し、例えば歩行等の運動を行うことにより、徐々に足趾の形状が本来の状態に戻るよう回復する。
【００４６】
＜変形例２＞
また、第一趾及び第五趾において、本発明における機能の改善を図る方法を同等の方法を適用することができる。
【００４７】
前述の通り、現代社会では足先を美しく見せるためにつま先部分が狭まった形状の靴を着用することが増加しており、第一趾（母趾）が体の軸の外方を向いた状態で固まってしまう外反母趾を引き起こす大きな原因となっている。このような症状は第五趾においても同様であり、第五趾（小趾）が体の軸の内方を向いた状態で固まる内反小趾を引き起こす原因となる。
【００４８】
そこで、変形例２においては、外側に反った第一趾を、体の軸方向に向くように補整するとともに、内側に反った第五趾を、体の軸の外側を向くように補整するよう、複数のテープ部材１０を適用する。
【００４９】
第一趾が体の軸方向に向くようにテープ部材１０を適用するにあたっては、図３に最初のステップを示すように、まず、足の裏側ではなく、足の側方（内側）に基端部１１を貼付する。基端部１１を貼付する部位としては、中足指節関節（ＭＴＰ）よりも踵側、つまり中足骨のある部位付近であることが好ましい。
【００５０】
基端部１１を貼付したのち、上述した実施形態と同様に、帯部１２を伸張させながら第一趾の基節骨の周囲に巻き付けるように貼付する。そして、テープ部材１０の他端部を足の側方（内側）における中足骨のある部位付近に貼付する。その際、上記と同様に、第一帯部１２ａと第二帯部１２ｂとがクロスする部位が付け根付近に形成されるように、右側に形成された第一帯部１２ａを、施術者から見て左側から時計回りに、左側に形成された第二帯部１２ｂを施術者から見て右側から反時計回りに巻き付けるように貼付する。
【００５１】
このように、足の内側に基端部１１を貼付し、帯部１２を伸張させながら足趾に巻き付けるように貼付することで、外反した第一趾を体の軸の方向に向きを変えるよう、つまり、指が開いた形状になるよう、補整することができる。
【００５２】
なお、第一趾については、他の足趾よりも大きくて太いため、全体として太くて長いテープ部材１０を用意し、図３に示すように、三本の帯部１２を形成するようにしてもよい。その場合、中央に形成される帯部１２を、左右に形成される帯部１２よりも先に足趾の周囲に貼付することが好ましい。このとき、先に足裏側を通してから足の甲側を通って足の側方に帯部の先端部が貼付されるようにする。このようにすることで、第一趾を内方に向けるだけでなく、前方に伸張せしめる効果も期待できる。
【００５３】
第五趾が体の軸の外側を向くようにテープ部材１０を適用するにあたっては、図４に最初のステップを示すように、まず足の側方（外則）に基端部１１を貼付する。基端部１１を貼付する部位は、中足骨のある部位付近である。
【００５４】
基端部１１を貼付したのち、帯部１２を伸張させながら第五趾の基節骨の周囲に巻き付けるように貼付する。そして、テープ部材１０の他端部を足の側方（外側）における中足骨のある部位付近に貼付する。その際、上記と同様に、第一帯部１２ａと第二帯部１２ｂとがクロスする部位が付け根付近に形成されるように、右側に形成された第一帯部１２ａを左側から時計回りに、左側に形成された第二帯部１２ｂを右側から反時計回りに巻き付けるように貼付する。
【００５５】
このように、足の外側に基端部１１を貼付し、帯部１２を足趾に巻き付けるように貼付することで、内反した第五趾を体の軸の外側に向きを変えるよう、つまり、指が開いた形状になるよう、補整することができる。
【００５６】
このようにして、複数のテープ部材１０を用意し、第一趾から第五趾のそれぞれに対してテープ部材１０を適用することで、変形してしまった形状を正常なバランスの良い状態に保持することができる。
【００５７】
なお、第一趾から第五趾すべてにおいてテープ部材１０を適用する場合、最初に第一趾、次に第五趾に適用し、その後、第二趾から第四趾までを適用するに要することが望ましい。このように、最初に一番大きな第一趾の形状を正常な状態に保持することで、他の指が第一趾の影響を受けることなく、テープ部材１０の適用を実施することが可能となる。つまり、仮に第二趾から第四趾までにテープ部材１０を適用した後、第一趾にテープ部材１０を適用しようとすると、第一趾への適用に伴い、第二趾から第四趾の形状が崩れる恐れがある。そのため、最初に第一趾の形状を固定することが重要となる。
【００５８】
また、第一趾の次に第五趾にテープ部材１０を適用して、両端の足趾の形状を固定する。このようにすることで、最初に足全体のバランスをとることができるので好ましい。
【００５９】
このように、先に第一趾及び第五趾の形状を保持して足全体のバランスを整えた上で、第二趾から第四趾にテープ部材１０を適用することで、バランスを崩すことなく各足趾の形状を正常な状態に保持することができる。そのため、身体機能の改善の効果をより一層高めることができる。
【００６０】
以上のように構成したテープ部材１０を使用した身体機能の改善を図る方法によれば、複雑な機構を有する装置を使用することなく、手軽に入手することができる材料を使用して、場所を問わず長時間にわたって効果を発揮することが可能な、身体機能の改善を図る方法を提供できる。
【００６１】
なお、図５に示すように、それぞれの端部を面取りした形状を有するテープ部材２０を用いても同等の効果が得られる。
【００６２】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６３】
１０    テープ部材
１１    基端部
１２    帯部
１２ａ  第一帯部
１２ｂ  第二帯部
【要約】
【課題】手軽に入手することができる材料を使用して、場所を問わず長時間にわたって効果を発揮することが可能な、身体機能の改善を図る方法を提供する。
【解決手段】本発明の身体機能の改善を図る方法は、一面に粘着剤が塗布された伸縮性を有するテープ部材を用い、テープ部材を部分的に伸張させながら足趾の適用部位に貼付し、伸張部位が元に戻ろうとする作用によって貼付部位に引張作用を与えることで身体機能の改善を図る方法であって、足裏における一の足趾の付け根部分にテープ部材の一端部を貼付するステップ、テープ部材を伸張させながら一の足趾の基節骨の甲側に貼付するステップ、テープ部材の他端部を足裏における一の足趾の付け根部分に貼付するステップ、を含む。
【選択図】図２Ｇ【図１】
0006840413.tif 000002
【図２Ａ】
0006840413.tif 000003
【図２Ｂ】
0006840413.tif 000004
【図２Ｃ】
0006840413.tif 000005
【図２Ｄ】
0006840413.tif 000006
【図２Ｅ】
0006840413.tif 000007
【図２Ｆ】
0006840413.tif 000008
【図２Ｇ】
0006840413.tif 000009
【図３】
0006840413.tif 000010
【図４】
0006840413.tif 000011
【図５】
0006840413.tif 000012